(57)【要約】      （修正有）【課題】射出成形により製造可能であり、網戸への取付けが容易な樹脂製のルーバーを提供する。【解決手段】平板状で樹脂製のルーバー１は、格子を形成する薄板状の上下方向の仕切り２と薄板状の左右方向の仕切り３を有し、これらの仕切りにより、互いに平行なオモテ面とウラ面が構成される。左右方向の仕切りは、オモテ面からウラ面に向かって下方に傾斜する。オモテ面に対して垂直方向に見たとき、左右方向の仕切りのオモテ面の縁とウラ面の縁との間に隙間が存在する。上下方向の仕切りに設けられた拡張部６は、ルーバーを網戸に取付けるピンが挿入され且つオモテ面に対して垂直に延びる貫通孔７を有する。【選択図】図１
0003226976.tif 000002
【実用新案登録請求の範囲】
【請求項１】
平板状で樹脂製のルーバーであって、
格子を形成するように配列された薄板状の上下方向の複数の仕切りと薄板状の左右方向の複数の仕切りを有し、前記上下方向の複数の仕切りと前記左右方向の複数の仕切りにより、互いに平行なオモテ面とウラ面が構成され、
前記上下方向の複数の仕切りは、オモテ面に対して垂直に延び、前記左右方向の複数の仕切りは、オモテ面のところの縁からウラ面のところの縁に向かって下方に傾斜し、
オモテ面に対して垂直方向に見たとき、前記左右方向の複数の仕切りのオモテ面のところの縁とウラ面のところの縁との間に隙間が存在し、
前記上下方向の仕切りの一部に、拡張部が設けられ、前記拡張部は、前記ルーバーを網戸に取付けるピンが挿入され且つオモテ面に対して垂直に延びる貫通孔を有することを特徴とするルーバー。
【請求項２】
前記左右方向の複数の仕切りの上下方向のピッチが一定であり、
前記拡張部の貫通孔は、複数の貫通孔であり、複数の貫通孔の上下方向距離は、前記左右方向の複数の仕切りのオモテ面のところの縁とウラ面のところの縁との間の上下方向距離と等しいことを特徴とする、請求項１に記載のルーバー。
【請求項３】
前記ルーバーの厚さは、３〜８ｍｍである、請求項１又は２に記載のルーバー。
【請求項４】
更に、前記ピンを有し、前記ピンは、薄板状のヘッド部と、複数の縮径部と、先端の円錐部を有し、前記複数の縮径部は、前記ピンの長さ方向に配列される、請求項１〜３の何れか１項に記載のルーバー。
【考案の詳細な説明】
【技術分野】
【０００１】
本考案は、網戸等に取付け可能な樹脂製のルーバーに関する。
【背景技術】
【０００２】
網戸に取付けられる樹脂製のルーバーが知られている（特許文献１）。
【０００３】
特許文献１に記載されている樹脂製のルーバーは、平板状であり、網戸の取付け面に対して斜めに延びる左右方向の複数の仕切りにより視界を遮ると共に、仕切りの間の斜めの空気通路により、通気性を確保している。
【０００４】
また、斜めの空気通路に取付け部材を挿入して、ルーバーを網戸に取付けるように構成されている。
【先行技術文献】
【特許文献】
【０００５】
【特許文献１】特開２００２−３４９１６２号公報
【考案の概要】
【考案が解決しようとする課題】
【０００６】
引用文献１に記載された樹脂製のルーバーの左右方向の複数の仕切りは、取付け面に対して垂直方向に見たときにルーバーの反対側が見えないような角度で構成されている。このため、樹脂製のルーバーを射出成形によって成形しようとすると、型を抜くことが非常に困難であるという問題がある。
【０００７】
また、取付け部材を斜めの空気通路の間に挿入して、ルーバーを網戸に取付けることがやりにくいという問題もある。
【０００８】
そこで、本考案は、射出成形による製造が可能であり、網戸への取付けを容易にする樹脂製のルーバーを提供することを目的とする。
【課題を解決するための手段】
【０００９】
上記目的を達成するために、網戸に取付け可能な平板状で樹脂製の本考案によるルーバーは、格子を形成するように配列された薄板状の上下方向の複数の仕切りと薄板状の左右方向の複数の仕切りを有し、前記上下方向の複数の仕切りと前記左右方向の複数の仕切りにより、互いに平行なオモテ面とウラ面が構成され、前記上下方向の複数の仕切りは、オモテ面に対して垂直に延び、前記左右方向の複数の仕切りは、オモテ面のところの縁からウラ面のところの縁に向かって下方に傾斜し、オモテ面に対して垂直方向に見たとき、前記左右方向の複数の仕切りのオモテ面のところの縁とウラ面のところの縁との間に隙間が存在し、前記上下方向の仕切りの一部に、拡張部が設けられ、前記拡張部は、前記ルーバーを網戸に取付けるピンが挿入され且つオモテ面に対して垂直に延びる貫通孔を有することを特徴としている。
【００１０】
このように構成されたルーバーでは、オモテ面に対して垂直方向に見たとき、左右方向の複数の仕切りのオモテ面のところの縁とウラ面のところの縁との間に隙間が存在する。そのような形態により、射出成形用の型を抜くことが可能になり、射出成形による製造が可能になる。また、上下方向の仕切りの一部に、拡張部が設けられ、拡張部は、オモテ面に対して垂直に延びる貫通孔が設けられている。このため、ピンをオモテ面に対して垂直に挿入することによって、ルーバーを網戸に容易に取付けることができる。
【００１１】
本考案の実施形態において、好ましくは、前記左右方向の複数の仕切りの上下方向のピッチが一定であり、前記拡張部の貫通孔は、複数の貫通孔であり、前記複数の貫通孔の上下方向距離は、前記左右方向の複数の仕切りのオモテ面のところの縁とウラ面のところの縁との間の上下方向距離と等しい。
【００１２】
このように構成されたルーバーでは、複数のルーバーを重ねて使用するのに便利である。例えば、２枚のルーバーを同じ向きで重ね合わせて、一方のルーバーの下側の貫通孔と他方のルーバーの上側の貫通孔を整列させるように、他方のルーバーを上下方向距離だけ下方にずらすと、一方のウラ面のところの縁と他方のオモテ面のところの縁が整列する。それにより、オモテ面に対して垂直方向に見たとき、左右方向の複数の仕切りの間に隙間が存在しない組合せルーバーを構成することができる。
【００１３】
本考案の実施形態において、好ましくは、ルーバーの厚さは、３〜８ｍｍである。
【００１４】
本考案の実施形態において、好ましくは、更に上記ピンを有し、ピンは、薄板状のヘッド部と、複数の縮径部と、先端の円錐部を有し、複数の縮径部は、ピンの長さ方向に配列される。
【図面の簡単な説明】
【００１５】
【図１】本考案によるルーバーの正面図である。
【図２】図１の線ＩＩ―ＩＩにおける断面図である。
【図３】２枚重ねたルーバーの図２と同様の断面図である。
【図４】２枚重ねたルーバーの図２と同様の断面図である。
【図５】１枚のルーバーを網戸に取付けた状態を示す断面図である。
【図６】２枚のルーバーを網戸に取付けた状態を示す断面図である。
【考案を実施するための形態】
【００１６】
図１及び図２に示すように、本考案によるルーバー１は、網戸に取付けられる平板状のルーバーである。ルーバー１は、格子を形成するように配列された薄板状の上下方向の複数の仕切り２と、薄板状の左右方向の複数の仕切り３を有する。上下方向の複数の仕切り２と左右方向の複数の仕切り３により、互いに平行なオモテ面４とウラ面５が構成される。格子は、図１に示すように上下方向と横方向に整列していてもよいし、千鳥状の格子であってもよいし、その他の配列であってもよい。
【００１７】
上下方向の複数の仕切り２は、オモテ面４に対して垂直に延びている。左右方向の複数の仕切り３は、オモテ面４のところの縁３ａからウラ面５のところの縁３ｂに向かって下方に傾斜している。縁３ａと縁３ｂは、上下方向の距離Ｐだけ離れている。オモテ面４に対して垂直方向に見たとき、左右方向の複数の仕切り３のオモテ面４のところの縁３ａとウラ面５のところの縁３ｂとの間に隙間ｄが存在する（図２参照）。
【００１８】
左右方向の複数の仕切り２の間の距離Ｌは、一定であるのがよく、例えば、５〜５０ｍｍである。また、上下方向の複数の仕切り３の間の距離Ｈは、一定であるのがよい。また、ルーバー１の厚さＷは、例えば、３〜８ｍｍである。厚さＷが３ｍｍよりも小さいと、強度が不足し、厚さＷが８ｍｍよりも大きいと、網戸Ｎの枠内に収まらず、窓枠と接触することがある。更に、厚さが３〜８ｍｍであれば、ルーバーをハサミやカッターで容易に切断することができ、ルーバーを所望の幅に調整することができる。また、左右方向の複数の仕切り３の傾斜角度Ａは一定であることが好ましい。
【００１９】
上下方向の仕切り３の一部に、拡張部６が設けられる。拡張部６は、ルーバー１を網戸Ｎに取付けるためのピン１０（図５及び図６参照）が挿入される貫通孔７を有する。貫通孔７は、上記上下方向の距離Ｐだけ間隔をあけた２つの貫通孔７である。
【００２０】
ルーバー１は、軽量であることが好ましく、樹脂製であることが好ましい。樹脂は、例えば、ポリプロプレン、ポリカードボネード、ポリスチレンである。また、樹脂は、半透明であることが好ましい。
【００２１】
ルーバー１を網戸Ｎに取付けるためのピン１０を図５に示す。ピン１０は、薄板状のヘッド部１０ａと、円筒部１０ｂと、複数の縮径部１０ｃと、先端の円錐部１０ｄを有している。複数の縮径部１０ｃは、ピン１０の長さ方向に配列されている。ピンの径Ｄは、網戸Ｎの目のピッチよりも大きくなるように定められる。
【００２２】
本考案によるルーバー１によれば、オモテ面４（又はウラ面）に対して垂直方向に見たとき、左右方向の複数の仕切り３のオモテ面４のところの縁３ａとウラ面５のところの縁３ｂとの間に隙間ｄが存在する。それにより、射出成形用の型を抜くことが可能になり、射出成形による製造が可能になる。また、ルーバーの大量生産も容易になる。
【００２３】
本考案によるルーバーは、１枚で使用してもよいし、２枚以上を重ねて使用してもよい。図３に示すように、２枚のルーバー１を同じ向きに重ね合わせる場合、一方のルーバー１の下側の貫通孔７と他方のルーバーの上側の貫通孔７を整列させるように、他方のルーバー１を上下方向距離Ｐだけ下方にずらすと、一方のウラ面５のところの縁３ｂと他方のオモテ面４のところ縁３ａが整列する。それにより、オモテ面４に対して垂直方向に見たとき、左右方向の複数の仕切り３の間に隙間ｄが存在しない組合せルーバーを構成することができる。また、図４に示すように、２枚のルーバー１を逆向きに重ね合わせて、一方のルーバー１の下側の貫通孔７と他方のルーバーの上側の貫通孔７を整列させるように、他方のルーバー１を上下方向距離Ｐだけ下方にずらしてもよい。この場合も、オモテ面４に対して垂直方向に見たとき、左右方向の複数の仕切り３の間に隙間がほとんど存在しない組合せルーバーを構成することができる。ルーバー１の重ね枚数は任意である。重ね枚数と重ねる向きを変化させることによって、ルーバー１の厚さや視線の遮り方等を選ぶことができる。
【００２４】
図５及び図６に示すように、ルーバー１を網戸Ｎに取付ける際、ピン１０を貫通孔７に挿入して、網戸Ｎを反対側から押えながら網戸Ｎに押込むだけでよい。詳細には、ピン１０を押込むと、ピン１０の円錐部１０ｄが、網戸の目を広げてその中に進入し、その後、網戸Ｎの目が元に戻ろうとして縮径部１０ｃに係合する。ピン１０は、複数の縮径部１０を有しているので、ルーバー１の重ね枚数に関わらず、共通のピン１０を使用することができる。
【００２５】
以上、本考案の実施形態を説明したが、本考案は、以上の実施の形態に限定されることなく、特許請求の範囲に記載された考案の範囲内で種々の変更が可能であり、それらも本考案の範囲内に包含されるものであることはいうまでもない。
【００２６】
上記実施形態では、ルーバー１を網戸Ｎに取付けたが、室内の間仕切りや襖等に取付けてもよい。
【符号の説明】
【００２７】
１  ルーバー
２  上下方向の複数の仕切り
３  左右方向の複数の仕切り
３ａ  オモテ面のところの縁
３ｂ  ウラ面のところの縁
４  オモテ面
５  ウラ面
６  拡張部
７  貫通孔
１０  ピン
１０ａ  ヘッド部
１０ｃ  縮径部
１０ｄ  先端の円錐部
ｄ  隙間
Ｈ  上下方向のピッチ
Ｐ  上下方向距離
【図１】
0003226976.tif 000003
【図２】
0003226976.tif 000004
【図３】
0003226976.tif 000005
【図４】
0003226976.tif 000006
【図５】
0003226976.tif 000007
【図６】
0003226976.tif 000008